(57)【特許請求の範囲】
【請求項１】
体液透過性の表面シートと、体液不透過性の裏面シートと、これら両シートの腹側部間から背側部間にかけて介在された体液吸収体と、を有し、前記表面シートの腹側部上から背側部上に体液吸収パッドが積層される、体液吸収性物品であって、
幅方向に沿って延在し、かつ前記体液吸収パッド側かつ股間部側に起立する幅方向起立襞が、前記表面シートの腹側部及び背側部の少なくとも一方に前後方向に間隔を空けて２つ以上設けられており、
前記表面シートは、前記体液吸収体の前後に延出する前後端部と、これら前後端部間に位置して前記体液吸収体と重なる中間部分とを有しており、
前記幅方向起立襞は、前記表面シートの中間部分を基端として起立するように、前記表面シートが幅方向に沿う折り目によって体液吸収パッド側かつ股間部側に折り出されて形成されており、
前記体液吸収パッドの積層に際して、前記体液吸収パッドの前端縁及び後端縁が前記腹側部の幅方向起立襞及び前記背側部の起立襞にそれぞれ引っかけられるように構成されており、
前記表面シートの腹側部及び背側部の少なくとも一方に２つ以上設けられた幅方向起立襞は、その少なくとも表面側に露出する前後端部側の表面が、前記体液吸収パッドの裏面に対する摩擦が前記表面シートよりも大きい摩擦増加シートで構成されている、ことを特徴とする体液吸収性物品。
【請求項２】
前記幅方向起立襞の先端部を構成する表面シートの内側に弾性伸縮部材が幅方向伸張状態で固定されている、請求項１記載の体液吸収性物品。
【請求項３】
前記表面シートの腹側部及び背側部の少なくとも一方に２つ以上設けられた前記幅方向起立襞は、前後端部側の幅方向起立襞ほど起立高さが高くなっている、請求項１又は請求項２記載の体液吸収性物品。
【請求項４】
前記表面シートの腹側部及び背側部の少なくとも一方に２つ以上設けられた幅方向起立襞に、前記体液吸収パッドの積層位置を示す目印として股間部側からの順番を示す番号が付けられている、請求項１〜３のいずれか１項に記載の体液吸収性物品。
【発明の詳細な説明】
【技術分野】
【０００１】
本発明は、体液透過性の表面シートと、体液不透過性の裏面シートと、これら両シートの腹側部間から背側部間にかけて介在された体液吸収体と、を有する、紙おむつや生理用ナプキン等の体液吸収性物品に関するものである。より詳しくは、使用時などにおいて、表面シートの腹側部上から背側部上に、尿取りパッドや吸収パッド等の体液吸収パッドが積層される体液吸収性物品に関するものである。
【背景技術】
【０００２】
近年、この種の体液吸収性物品、特に、大人用の紙おむつ等は、表面シート上に体液吸収パッドを積層する（あてがう）使用形態が増えている。これは、体液吸収パッドのみを交換し、体液吸収性物品自体は数回使用することで、出費を抑えるためである。
そして、この使用形態においては、体液吸収パッドがずれると、体液吸収性物品が汚れてしまい、繰り返しの使用ができなくなってしまうことから、体液吸収パッドの表面シート側の面及び表面シートの体液吸収パッド側の面に、一対の係合部を設け、これら係合部を係合させることによって、体液吸収パッドのずれを防止することが提案されている（例えば、特許文献１参照。）。
しかしながら、現在では、例えば、夜間は大量の体液を吸収・保持することができるよう大きく、昼間は行動がし易くなるよう小さく、などというように、大きさの異なる複数種の体液吸収パッドを、同一の体液吸収性物品に積層する使用形態が増えており、かかる一対の係合部を設けた体液吸収性物品では、対応できなくなっている。
【特許文献１】特開２００４−２６１３３２号公報
【発明の開示】
【発明が解決しようとする課題】
【０００３】
本発明が解決しようとする主たる課題は、大きさの異なる複数種の体液吸収パッドを、ずれが生じないように積層することができる体液吸収性物品を提供することにある。
【課題を解決するための手段】
【０００４】
この課題を解決した本発明は、次のとおりである。
〔請求項１記載の発明〕
体液透過性の表面シートと、体液不透過性の裏面シートと、これら両シートの腹側部間から背側部間にかけて介在された体液吸収体と、を有し、前記表面シートの腹側部上から背側部上に体液吸収パッドが積層される、体液吸収性物品であって、
幅方向に沿って延在し、かつ前記体液吸収パッド側かつ股間部側に起立する幅方向起立襞が、前記表面シートの腹側部及び背側部の少なくとも一方に前後方向に間隔を空けて２つ以上設けられており、
前記表面シートは、前記体液吸収体の前後に延出する前後端部と、これら前後端部間に位置して前記体液吸収体と重なる中間部分とを有しており、
前記幅方向起立襞は、前記表面シートの中間部分を基端として起立するように、前記表面シートが幅方向に沿う折り目によって体液吸収パッド側かつ股間部側に折り出されて形成されており、
前記体液吸収パッドの積層に際して、前記体液吸収パッドの前後端縁が前記腹側部の幅方向起立襞及び前記背側部の起立襞にそれぞれ引っかけられるように構成されており、
前記表面シートの腹側部及び背側部の少なくとも一方に２つ以上設けられた幅方向起立襞は、その少なくとも表面側に露出する前後端部側の表面が、前記体液吸収パッドの裏面に対する摩擦が前記表面シートよりも大きい摩擦増加シートで構成されている、ことを特徴とする体液吸収性物品。
【０００５】
【０００６】
〔請求項２記載の発明〕
前記幅方向起立襞の先端部を構成する表面シートの内側に弾性伸縮部材が幅方向伸張状態で固定されている、請求項１記載の体液吸収性物品。
【０００７】
〔請求項３記載の発明〕
前記幅方向起立襞の先端部を構成する表面シートの内側に弾性伸縮部材が幅方向伸張状態で固定されている、請求項１記載の体液吸収性物品。
【０００８】
【０００９】
〔請求項４記載の発明〕
前記表面シートの腹側部及び背側部の少なくとも一方に２つ以上設けられた幅方向起立襞に、前記体液吸収パッドの積層位置を示す目印として股間部側からの順番を示す番号が付けられている、請求項１〜３のいずれか１項に記載の体液吸収性物品。
【発明の効果】
【００１０】
本発明によると、大きさの異なる複数種の体液吸収パッドを、ずれが生じないように積層することができる体液吸収性物品となる。
【発明を実施するための最良の形態】
【００１１】
次に、本発明の実施の形態を説明する。
なお、本発明の体液吸収性物品は、その適用形態が限定されず、例えば、紙おむつや生理用ナプキン等として適用することができるが、以下では、その１例として、本体液吸収性物品が紙おむつである場合を例に説明する。
【００１２】
〔紙おむつ１０〕
図１及び図２に示すように、本実施の形態の紙おむつ１０は、体液透過性の表面シート１と、体液不透過性の裏面シート２と、これら両シート１，２の腹側部Ｆ間から背側部Ｂ間にかけて介在された体液吸収体３と、から主になる。
【００１３】
表面シート１は、前後方向に長い平面長方形状になっており、前後端部及び両側端部が裏面シート２に接合されている。この接合の方法は、特に限定されない。例えば、ホットメルト接着、超音波シール、ヒートシール（熱融着）、ヒートプレス（熱圧着）又はこれらの組み合わせなどによることができる。
【００１４】
一方、裏面シート２は、紙おむつ１０の平面外形とほぼ同じ形状になっており、前後端部及び両側端部が、体液吸収体３の前後端縁又は両側端縁よりも前後方又は側方へ延出している。裏面シート２の側方への延出は、特に前後端部において長くなっている。この長く延出した部位には、フラップ７，７…を介してファスニングテープ等の止着材８，８…が取り付けられている。
【００１５】
体液吸収体３は、図示例では、１つのコアからなるが、これに限定する趣旨ではない。例えば、図３に示すように、上下に積層された幅狭の上側吸収コア１５及び幅広の下側吸収コア１６全体が、クレープ紙やティシュペーパー等からなる被包シート１７によって被包された形態の体液吸収体３などを、例示することができる。この形態では、被包シート１７による被包によって、上側吸収コア１５及び下側吸収コア１６の形状、積層状態などが保持される。
【００１６】
紙おむつ１０は、使用するに際して、表面シート１の腹側部Ｆ上から背側部Ｂ上に体液吸収パッド１２が積層される。この体液吸収パッド１２の素材、構成、形状等は、特に限定されない。例えば、表面シート１と同様の素材からなる表面側シート、体液吸収体３と同様の素材からなる体液吸収材、裏面シート２と同様の素材からなる裏面側シート、がこの順に積層された、紙おむつ１０の前後方向に沿って長い平面長方形状の体液吸収パッドなどを、積層することができる。
【００１７】
そして、本紙おむつ１０は、この体液吸収パッド１２のずれを防止するために、図１及び図４に示すように、幅方向に沿って、かつ、図５に示すように、体液吸収パッド１２側に起立する幅方向起立襞９，９…が設けられている。本形態によると、図５に示すように、体液吸収パッド１２の前後端縁を幅方向起立襞９，９…に引っかけることができるため、体液吸収パッド１２を、ずれが生じないように積層することができる。このずれ防止効果は、特に前後方向に関しては、完全なものとなる。
【００１８】
さらに、本形態においては、この幅方向起立襞９，９…が、表面シート１の腹側部Ｆ及び背側部Ｂの一方に１つ以上、他方に２つ以上、設けられている。幅方向起立襞９が一方に１つ以上、他方に２つ以上設けられていると、体液吸収パッド１２の前端縁を引っかける幅方向起立襞９と後端縁を引っかける幅方向起立襞９との離間距離を適宜変更することができるようになるため、大きさの異なる複数種の体液吸収パッド１２を、ずれが生じないように積層することができるようになる。
【００１９】
幅方向起立襞９が腹側部Ｆ及び背側部Ｂにそれぞれいくつ設けられているかは、一方に１つ以上、他方に２つ以上である限り、特に限定されない。例えば、腹側部Ｆに１つ背側部Ｂに２つ、腹側部Ｆに１つ背側部Ｂに３つ以上の複数、腹側部Ｆに２つ背側部Ｂに１つ、腹側部Ｆに２つ背側部Ｂに２つ、腹側部Ｆに２つ背側部Ｂに３つ以上の複数、腹側部Ｆに３つ以上の複数背側部Ｂに１つ、腹側部Ｆに３つ以上の複数背側部Ｂに２つ、腹側部Ｆに３つ以上の複数背側部Ｂに３つ以上の複数などとすることができる。図１に示す例では、表面シート１の腹側部Ｆに４つ、表面シート１の背側部Ｂに４つ、設けられている。
【００２０】
ただし、幅方向起立襞９，９…は、図５に示すように、表面シート１の折り返しによって、すなわち、表面シート１が体液吸収パッド１２側に折り曲げられて（この折り曲げた部位が幅方向起立襞９の基端部を構成する。）起立し、途中で折り返されて（この折り返した部位が幅方向起立襞９の先端部を構成する。）、幅方向起立襞９の先端部から基端部までが表面シート１を二重に重ね合わせた状態となるように、形成される。このように、幅方向起立襞９が表面シート１の折り返しによって形成されていると、製造コストが削減されるほか、紙おむつ１０の表面に不必要な凹凸が形成されなくなるため、肌触り性が向上する。
【００２１】
また、幅方向起立襞９は、図５中に拡大して示すように、股間部（中央部）Ｃ側（図１参照）に起立するように構成される。この幅方向起立襞９の先端部を構成する表面シート１の内側にゴム等の弾性伸縮部材１１が伸張状態で固定されているのが好ましい。幅方向起立襞９が股間部Ｃ側に起立していると、体液吸収パッド１２の前後端部が幅方向起立襞９に上から押さえ込まれた状態で引っかかることになるため、体液吸収パッド１２の表面シート１からの浮き上がりが防止される。
【００２２】
また、幅方向起立襞９の先端部を構成する表面シート１の内側に弾性伸縮部材１１が伸張状態で固定されていると、使用状態、つまり幅方向中央部が凹んだお椀型の状態においては、幅方向起立襞９が他からの負荷を受けない限り起立した状態となるため、起立方向が股間部Ｃ側であることと相まって、体液吸収パッド１２の前後端縁が引っかかる幅方向起立襞９よりも上下方の幅方向起立襞９が、体液の上下方向の移動を阻止する。これにより、体液の前後漏れが防止される。
【００２３】
弾性伸縮部材１１は、幅方向起立襞９の全長にわたって設けられている必要はない。弾性伸縮部材１１の長さＬ（図４参照）は、例えば、幅方向起立襞９の幅方向長さの１０〜９０％、好ましくは３０〜７０％、より好ましくは４０〜６０％とすることができる。
【００２４】
また、弾性伸縮部材１１は、必ずしも幅方向に連続している必要はない。例えば、幅方向に断続的に２本（箇所）、３本、４本又はそれ以上の複数本設けることもできる。ただし、複数本設ける場合においては、そのうちの１本が幅方向中心線を通る（幅方向中心線と交差する）ように設けるのが好ましい。
【００２５】
以上の体液の前後漏れ防止の効果をより期待する場合は、表面シート１の腹側部Ｆ及び背側部Ｂの少なくともいずれか一方において、２つ以上設けられた幅方向起立襞９が、図５に示すように、前後端部側の幅方向起立襞９ほど起立高さＮが高くなっているのが好ましい。また、このように幅方向起立襞９の起立高さＮが変化すると、幅方向起立襞９に体液吸収パッド１２を引っかける際に、体液吸収パッド１２が引っかけようとする幅方向起立襞９よりも股間部Ｃ側の幅方向起立襞９に誤って引っかかってしまうことがなくなるため、体液吸収パッド１２の積層が容易になるとの効果もある。
【００２６】
幅方向起立襞９の起立高さＮは、例えば、１０〜５０ｍｍの範囲で、好ましくは１５〜４５ｍｍの範囲で、より好ましくは２０〜３０の範囲で、変化させることができる。また、相互に隣接する幅方向起立襞９，９の離間距離Ｍは、例えば、１０〜５０ｍｍ、好ましくは１５〜４５ｍｍ、より好ましくは２０〜４０ｍｍとすることができる。
【００２７】
さらに、幅方向起立襞９は、股間部Ｃ側に起立し、かつ、図５中に拡大して示すように、少なくとも前後端部側の表面１ａが、好ましくは両表面が、体液吸収パッド１２の裏面に対する摩擦が表面シート１よりも大きい（増加する）摩擦増加シートで構成されている。紙おむつ１０に体液吸収パッド１２を積層すると、体液吸収パッド１２が引っかかる幅方向起立襞９よりも股間部Ｃ側の幅方向起立襞９は、体液吸収パッド１２に押さえつけられて、体液吸収パッド１２の裏面に表面シート１の前後端部側の表面１ａが接した状態になるため、本形態によると、紙おむつ１０に対する体液吸収パッド１２の摩擦が増加し、体液吸収パッド１２のずれが防止される。
【００２８】
加えて、幅方向起立襞９には、図４に示すように、体液吸収パッド１２の積層位置を示す目印が付けられているのが好ましい。この目印の種類や記載位置などは、特に限定されない。図示例では、表面シート１の前後端部側表面１ａに、中央位置を示す逆三角印と、襞９の股間部Ｃ側からの順番を示す番号（（１）から（４））が示されている。
【００２９】
（その他）
〔１〕以上の幅方向起立襞９は、幅方向に沿って、かつ、体液吸収パッド１２側に起立しているが、この他に、例えば、図１及び図２に示すように、前後方向に沿って、かつ、体液吸収パッド１２側に起立する側部起立襞４，４を設けることもできる。この側部起立襞４，４によって、体液吸収パッド１２の両側端縁が引っかけられ、体液吸収パッド１２のずれ、主に幅方向へのずれが防止される。
この側部起立襞４，４が、どのように設けられているかは、特に限定されない。本形態では、図２に示すように、側部起立襞４，４の基端部が表面シート１の両側端部に接合され、先端部が自由端部として幅方向中央部側に起立した形態になっている。ただ、この側部起立襞４，４は、図６に示すように、その前後端部は、先端部も表面シート１に接合されており、自由端部が存在しない形態になっている。
側部起立襞４の起立高さは、１０〜５０ｍｍ、好ましくは１５〜４５ｍｍ、より好ましくは２０〜４０ｍｍとすることができる。
【００３０】
〔２〕側部起立襞４，４の更に両側方には、図１及び図２に示すように、前後方向に沿う立体カフス６，６を設けることができる。この立体カフス６，６によって、体液の横漏れが防止される。
この立体カフス６，６が、どのように設けられているかは、特に限定されない。本形態では、図２に示すように、立体カフス６，６の基端部が裏面シート２の両側端部に接合され、先端部が自由端部として幅方向中央部側に起立した形態になっている。ただ、この立体カフス６，６は、図６に示すように、その前後端部は、先端部も後述する前後立体カフス５に接合されており、自由端部が存在しない形態になっている。
また、本形態では、図２及び図６から明らかなように、この立体カフス６，６及び先の側部起立襞４，４が、同じ１枚のシートの折り返しによって形成されている。これにより、資材（素材）コスト及び組立て製造コストの削減が図られる。
立体カフス６の起立高さは、１５〜７５ｍｍ、好ましくは２０〜６５ｍｍ、より好ましくは３０〜６０ｍｍとすることができる。
【００３１】
〔３〕立体カフス６，６は、前後方向に沿うが、更に紙おむつ１０の前後端部（腹周り部及び腰周り部）に、幅方向に沿う前後立体カフス５，５を設けることもできる。この前後立体カフス５，５によって、体液の前後漏れが防止される。
この前後立体カフス５，５が、どのように設けられているかは、特に限定されない。本形態では、前後立体カフス５，５の基端部が表面シート１及び裏面シート２の前後端部に接合され、先端部が自由端部として前後方向中央部（股間部Ｃ）側に起立した形態になっている。ただ、この前後立体カフス５，５は、図６に示すように、その両側端部が、側部起立襞４，４及び立体カフス６，６の間に介在されて接合されており、自由端部が存在しない形態になっている。
前後立体カフス５の起立高さは、１５〜７５ｍｍ、好ましくは２０〜６５ｍｍ、より好ましくは３０〜６０ｍｍとすることができる。
【００３２】
〔各部材の素材等〕
（表面シート１、側部起立襞４、幅方向起立襞９）
表面シート１及び側部起立襞４、幅方向起立襞９は、尿や血液等の体液を透過する性質を有する。したがって、表面シート１及び側部起立襞４、幅方向起立襞９の素材は、この体液透過性を発現するものであれば足り、例えば、有孔又は無孔の不織布や、多孔性プラスチックシートなどを例示することができる。また、このうち不織布は、その原料繊維が何であるかを、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法等を例示することができる。例えば、柔軟性、ドレープ性を求めるのであれば、スパンレース法が、嵩高性、ソフト性を求めるのであれば、サーマルボンド法が、好ましい加工方法となる。
また、表面シート１及び側部起立襞４、幅方向起立襞９は、１枚のシートからなるものであっても、２枚以上のシートが積層されてなる積層シートからなるものであってもよい。同様に、表面シート１及び側部起立襞４、幅方向起立襞９は、平面方向に関して、１枚のシートからなるものであっても、２枚以上のシートからなるものであってもよい。
【００３３】
（裏面シート２、立体カフス５，６）
裏面シート２及び立体カフス５，６は、体液を透過しない性質を有する。したがって、裏面シート２及び立体カフス５，６の素材は、この体液不透過性を発現するものであれば足り、例えば、ポリエチレンやポリプロピレン等のオレフィン系樹脂や、ポリエチレンシート等に不織布を積層したラミネート不織布、防水フィルムを介在させて実質的に不透液性を確保した不織布（この場合は、防水フィルムと不織布とで体液不透過性の裏面シート２又は立体カフス５，６が構成される。）などを例示することができる。もちろん、このほかにも、近年、ムレ防止の観点から好まれて使用されている不透液性かつ透湿性を有する素材も例示することができる。この不透液性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。
【００３４】
（体液吸収体３）
体液吸収体３は、体液を吸収し保持する性質を有する。したがって、体液吸収体３の素材は、この体液吸収・保持性を発現するものであれば足りる。例えば、綿状パルプや合成パルプなどのパルプ単体からなるものや、フラッフ状パルプ中に、粒状粉などとされた吸収性ポリマーが混入されたものなどの、公知の素材を例示することができる。また、このうちのパルプの原料繊維は、特に限定されず、例えば、機械パルプ、化学パルプ、溶解パルプ等の木材から得られるセルロース繊維や、レーヨン、アセテート等の人工セルロース繊維などを例示することができる。ただし、セルロース繊維の原材料となる木材は、広葉樹より針葉樹の方が、繊維長が長いため、機能及び価格の面で好ましい。
さらに、体液吸収体３は、セルロースアセテート等のトウからなる繊維集合体で形成することや、このトウからなる繊維集合体内に吸収性ポリマーを移動させて得た吸収材で形成することもできる。
【００３５】
（被包シート１７）
被包シート１７は、体液を透過する性質を有する。したがって、表面シート１として例示したのと同様の素材を例示することができる。
【００３６】
（弾性伸縮部材１１）
弾性伸縮部材１１は、伸縮性を有するものであればよく、その種類は特に限定されない。例えば、伸縮ホットメルト、伸縮フィルム、糸ゴム、平ゴム等を例示することができる。また、素材としては、例えば、スチレン系、オレフィン系、ウレタン系、エステル系のゴムや、ポリウレタン、ポリエチレン、ポリスチレン、スチレンブタジエン、シリコン、ポリエステル等の発泡体などを例示することができる。
【産業上の利用可能性】
【００３７】
本発明は、使用時などにおいて、表面シートの腹側部上から背側部上に、尿取りパッドや吸収パッド等の体液吸収パッドが積層される紙おむつや生理用ナプキン等の体液吸収性物品として、適用可能である。
【図面の簡単な説明】
【００３８】
【図１】紙おむつの平面図である。
【図２】図１のＩ−Ｉ線断面図である。
【図３】吸収体の例である。
【図４】幅方向起立襞の平面説明図である。
【図５】幅方向起立襞の縦断面説明図である。
【図６】図１のＩＩ−ＩＩ線断面図である。
【符号の説明】
【００３９】
１…表面シート、２…裏面シート、３…体液吸収体、４…側部起立襞、５…前後立体カフス、６…立体カフス、７…フラップ、８…止着材、９…起立襞、１０…紙おむつ、１１…弾性伸縮部材、１２…体液吸収パッド、Ｂ…背側部、Ｃ…股間部、Ｆ…腹側部。
【図１】
0004746413.tif 000002
【図２】
0004746413.tif 000003
【図３】
0004746413.tif 000004
【図４】
0004746413.tif 000005
【図５】
0004746413.tif 000006
【図６】
0004746413.tif 000007